(57)【要約】【課題】意匠性及び視認性の向上を図った表示器を提供する。【解決手段】セグメント表示板１２が、セグメント形状を形取り、かつ、光透過材から形成された複数の凸部１２ａを有する。その凸部１２ａの背面にそれぞれ光源が設けられている。光源が設けられる配線板アッシーの背面には、指針と、指針用の目盛が形成されている文字板が設けられている。【選択図】      図２
2004271813.tif 000002
【特許請求の範囲】
【請求項１】
セグメント形状を形取り、かつ、光透過材から形成された複数の凸部を有する第１表示板と、
前記各凸部の背面に設けられた複数の光源と
を備えたことを特徴とする表示器。
【請求項２】
セグメント形状を形取り、かつ、光透過部材から形成された複数の凸部が設けられた第１表示板と、
前記第１表示板の背面に設けられた光源と、
前記第１表示板、及び、前記光源間に設けられた液晶表示部と
を備えたことを特徴とする表示器。
【請求項３】
請求項１又は２記載の表示器であって、
前記第１表示板において、前記複数の凸部以外の部分を光不透過材により形成し、前記複数の凸部と、前記凸部以外の部分とを一体に形成する
ことを特徴とする表示器。
【請求項４】
請求項１、２又は３記載の表示器であって、
前記凸部の天面は、その下端がその上端よりも正面側に位置するように傾けられている
ことを特徴とする表示器。
【請求項５】
請求項１〜４何れか１項記載の表示器であって、
前記凸部の天面は、その左右端のうち何れか一端が、他端より正面側に位置するように傾けられている
ことを特徴とする表示器。
【請求項６】
請求項１〜５何れか１項記載の表示器であって、
前記凸部を暗色系に着色する
ことを特徴とする表示器。
【請求項７】
請求項１〜６何れか１項記載の表示器であって、
前記光源が設けられている第１基板の背面に、指針軸が設けられ、該指針軸を中心に回転する指針と、
前記指針の背面に配置され、前記指針指示用の指標が形成されている第２表示板とを備え、
前記第２表示板には、前記指針が回転しない範囲であり、かつ、指標が形成されていない範囲に、前記第１基板からの電線又は端子を貫通する貫通部が設けられている
ことを特徴とする表示器。
【請求項８】
請求項７記載の表示器であって、
前記第１表示板の正面側に設けられ、前記凸部の形状に応じて切り抜かれた切抜部を有する遮光部と、前記第２表示板に設けれた指標の周縁を囲む周縁部とが一体に形成されている
ことを特徴とする表示器。
【請求項９】
請求項８記載の表示器であって、
前記第２表示板において、前記遮光部と前記周縁部とを連結する連結部の背面に相当する位置に、前記貫通部が設けられている
ことを特徴とする表示器。
【請求項１０】
請求項８又は９記載の表示器であって、
当該表示器が他の複数の表示器と一体に形成されているとき、
前記遮光部及び前記周縁部の正面側に、前記周縁部に囲まれている部分のみを覆い、かつ、暗色系の着色が施された表ガラスが配置されている
ことを特徴とする表示器。
【請求項１１】
請求項８、９又は１０記載の表示器であって、
当該表示器が他の複数の表示器と一体に形成されているとき、
前記周縁部の正面側の面は、前記全表示器を収納する見返しの正面側の面とほぼ同一平面上に配置されている
ことを特徴とする表示器。
【発明の詳細な説明】
【０００１】
【発明の属する技術分野】
この発明は、表示器に係わり、特に、セグメント表示を行う表示器に関する。
【０００２】
【従来の技術】
従来、上述したセグメント表示を行う表示器として、例えば、図１０に示すように、複数のセグメント形状の切欠部Ｋを有する遮光板１００と、各セグメント形状の背面に設けられた複数の光源ＬＬとを備えたものが知られている。
【０００３】
上述したセグメント表示器は、複数の光源ＬＬの点灯／非点灯を制御することにより、１〜８までの数字を表示することができる。このような、セグメント表示器は、例えば、車両のデジタルスピードメータなどに用いられていた。
【０００４】
しかしながら、上述したセグメント表示は、平面的であり、意匠性が低く、視認性も悪いという問題があった。
【０００５】
また、文字板を立体造形して意匠性を持たせたものとしては、例えば、特許文献１記載のものなどが提案されている。しかしながら、特許文献１記載の発明は、セグメント表示を行うものではない。
【０００６】
【特許文献１】
特開２０００−２９２２１４公報
【０００７】
【発明が解決しようとする課題】
そこで、本発明は、上記のような問題点に着目し、意匠性及び視認性の向上を図った表示器を提供することを課題とする。
【０００８】
【課題を解決するための手段】
上記課題を解決するためになされた請求項１記載の発明は、セグメント形状を形取り、かつ、光透過材から形成された複数の凸部を有する第１表示板と、前記各凸部の背面に設けられた複数の光源とを備えたことを特徴とする表示器に存する。
【０００９】
請求項１記載の発明によれば、発光している光源の正面に設けられた凸部が発光し、発光していない光源の正面に設けられた凸部は発光しない。複数の光源の点灯／非点灯を制御すれば、セグメント表示を行うことができる。従って、第１表示板に、セグメント形状を形取り、かつ、光透過材から形成された複数の凸部を設けることにより、セグメントを立体表示することができる。
【００１０】
請求項２記載の発明は、セグメント形状を形取り、かつ、光透過部材から形成された複数の凸部が設けられた第１表示板と、前記第１表示板の背面に設けられた光源と、前記第１表示板、及び、前記光源間に設けられた液晶表示部とを備えたことを特徴とする表示器に存する。
【００１１】
請求項２記載の発明によれば、光源を発光させると、液晶表示部において透過に制御されている部分の正面に位置する凸部は発光し、不透過に制御されている部分の正面に位置する凸部は発光しない。液晶表示部の透過／不透過を制御すれば、セグメント表示を行うことができる。従って、第１表示板に、セグメント形状を形取り、かつ、光透過材から形成された複数の凸部を設けることにより、セグメントを立体表示することができる。しかも、液晶表示部を設けることにより、凸部毎に光源を設ける必要もない。
【００１２】
請求項３記載の発明は、請求項１又は２記載の表示器であって、前記第１表示板において、前記複数の凸部以外の部分を光不透過材により形成し、前記複数の凸部と、前記凸部以外の部分とを一体に形成することを特徴とする表示器に存する。
【００１３】
請求項３記載の発明によれば、第１表示板において、複数の凸部以外の部分が光不透過材により形成されている。複数の凸部と、凸部以外の部分とが一体に形成されている。従って、凸部と、凸部以外の部分とを一体にすることにより、部品点数を削減することができる。しかも、凸部以外の部分を光り不透過材により形成することにより、所定の凸部の背面に入射された光が凸部以外の部分を透過して他の凸部に漏れず、他の凸部が光輝することがない。
【００１４】
請求項４記載の発明は、請求項１、２又は３記載の表示器であって、前記第１表示板は、その下端がその上端よりも正面側に位置するように傾けられていることを特徴とする表示器に存する。
【００１５】
請求項４記載の発明によれば、凸部の天面において、その下端がその上端よりも正面側に位置するように傾けられている。従って、上端側から凸部天面を見たときの視認性を向上させることができると共に、立体感も強調させることができる。
【００１６】
請求項５記載の発明は、請求項１〜４何れか１項記載の表示器であって、前記凸部の天面は、その左右端のうち何れか一端が、他端より正面側に位置するように傾けられていることを特徴とする表示器に存する。
【００１７】
請求項５記載の発明によれば、凸部の天面において、その左右端のうち何れか一端が、他端より正面側に位置するように傾けられている。従って、凸部天面を見たときの視認性を向上させることができると共に、立体感も強調させることができる。
【００１８】
請求項６記載の発明は、請求項１〜５何れか１項記載の表示器であって、前記凸部を暗色系に着色することを特徴とする表示器に存する。
【００１９】
請求項６記載の発明によれば、凸部が暗色系に着色されている。従って、発光している凸部と、発光していない凸部との輝度コントラストを強調することができる。
【００２０】
請求項７記載の発明は、請求項１〜６何れか１項記載の表示器であって、前記光源が設けられている第１基板の背面に、指針軸が設けられ、該指針軸を中心に回転する指針と、前記指針の背面に配置され、前記指針指示用の指標が形成されている第２表示板とを備え、前記第２表示板には、前記指針が回転しない範囲であり、かつ、指標が形成されていない範囲に、前記第１基板からの電線又は端子を貫通する貫通部が設けられていることを特徴とする表示器に存する。
【００２１】
請求項７記載の発明によれば、指針軸を中心に回転する指針が、光源が設けられている基板の背面に、その指針軸が設けられている。指針指示用の指標が形成されている第２表示板が、指針の背面に配置されている。その第２表示板には、指針が回転しない範囲であり、かつ、指標が形成されていない範囲に、第１基板からの電線又は端子を貫通する貫通孔が設けられている。従って、第２表示板において、指針が回転しない範囲であり、かつ、指標が形成されていない範囲に、基板からの電線又は端子を貫通する貫通孔を設けることにより、電線や端子が指針の動きに干渉したり、指標を隠したりすることがなく、簡単な構成で、指針軸を中心に指針が回転する通常計器の略中央に立体表示を行うことができる。
【００２２】
請求項８記載の発明は、請求項７記載の表示器であって、前記第１表示板の正面側に設けられ、前記凸部の形状に応じて切り抜かれた切抜部を有する遮光部と、前記第２表示板に設けれた指標の周縁を囲む周縁部とが一体に形成されていることを特徴とする表示器に存する。
【００２３】
請求項８記載の発明によれば、遮光部と周縁部とを一体に形成する。従って、遮光部と周縁部とを各々別々に形成する必要がなく、部品点数の削減を図ることができる。
【００２４】
請求項９記載の発明は、請求項８記載の表示器であって、前記第２表示板において、前記遮光部と前記周縁部とを連結する連結部の背面に相当する位置に、前記貫通部が設けられていることを特徴とする表示器に存する。
【００２５】
請求項９記載の発明によれば、第２表示板において、遮光部と周縁部とを連結する連結部の背面に相当する位置に、貫通孔が設けられている。従って、連結部により貫通孔や電線又は端子を隠すことができる。
【００２６】
請求項１０記載の発明は、請求項８又は９記載の表示器であって、当該表示器が他の複数の表示器と一体に形成されているとき、前記遮光部及び前記周縁部の正面側に、前記周縁部に囲まれている部分のみを覆い、かつ、暗色系の着色が施された表ガラスが配置されていることを特徴とする表示器に存する。
【００２７】
請求項１０記載の発明によれば、遮蔽部及び前記周縁部の正面側に、周縁部に囲まれている部分のみを覆い、かつ、暗色系の着色が施された表ガラスが配置されている。従って、指針や、第２表示板上に形成された指標も発光させれば、表示器の作動時に、周縁部に囲まれた第１及び第２表示板が部分的に浮き出して見えるような演出をすることができる。
【００２８】
請求項１１記載の発明は、請求項８、９又は１０記載の表示器であって、当該表示器が他の複数の表示器と一体に形成されているとき、前記周縁部の正面側の面は、前記全表示器を収納する見返しの正面側の面とほぼ同一平面上に配置されていることを特徴とする表示器に存する。
【００２９】
請求項１１記載の発明によれば、表示器が他の複数の表示器と一体に形成されているとき、周縁部の正面側の面が、全表示器を収納する見返しの正面側の面とほぼ同一平面上に配置されている。従って、周縁部が見返しと調和し、違和感をなくすことができる。
【００３０】
【発明の実施の形態】
以下、本発明の表示器について、図面に基づいて説明する。図１は、本発明の表示器の分解斜視図である。同図に示すように、表示器は、セグメント表示板１２（請求項中の第１表示板に相当）を備えている。このセグメント表示板１２は、図２に示すように、セグメント形状を形取り、かつ、光透過部材から形成される例えば、１６個のセグメント凸部１２ａ（請求項中の凸部に相当）と、スピード単位（ｋｍ／ｈ）を表す文字形状を形取り、かつ、光透過部材から形成される単位凸部１２ｂとが設けられている。なお、１６個のセグメント凸部１２ａは、例えば、数字の“１８８”を表すように配置されている。
【００３１】
また、セグメント表示板１２において、光透過部材からなる複数の凸部１２ａ及び１２ｂは、凸部１２ａ及び１２ｂ以外の部分である光不透過部１２ｃと一体に形成されている。一体にする方法として、凸部１２ａ及び１２ｂを形成する光透過部材と、光不透過部１２ｃを形成する光不透過材との２色形成などが考えられる。
【００３２】
このようにすれば、凸部１２ａ及び１２ｂをバラバラに形成する必要がなく、部品点数削減を図ることができる。しかも、凸部１２ａ及び１２ｂ以外を光不透過部１２ｃにすることにより、所定のセグメント凸部１２ａの背面に入射された光が光不透過部１２ｃを通じて他のセグメント凸部１２ａに漏れ、他のセグメント凸部１２ａが光輝してしまうことがない。
【００３３】
また、セグメント表示板１２の背面には、図１に示すように、図示しない複数の光源が配される配線板アッシーＡ１４（請求項中の第１基板に相当）が設けられている。複数の光源のうち１６個は各々、１６個のセグメント凸部１２ａの背面に位置するように、配線板アッシーＡ１４に配されている。また、残りは、単位凸部１２ｂの背面に位置するように、配線板アッシーＡ１４に配されている。
【００３４】
上記セグメント表示板１２と配線板アッシーＡ１４との間には、光源からの光を反射させて、その光源の正面側にある凸部１２ａ及び１２ｂに光を集光するための箱型のリフレクタ１３が設けられている。また、セグメント表示板１２の正面側には、凸部１２ａ及び１２ｂの形状に応じた切抜部１１ａ１が形成された遮光部１１ａを備えたリング１１が設けられている。上述したリング１１、セグメント表示板１２、リフレクタ１３及び配線板アッシーＡ１４がセグメント表示器１０を構成している。
【００３５】
以上の構成のセグメント表示器１０によれば、点灯している光源からの光は、リフレクタ１３によりその光源の正面に位置する凸部１２ａ及び１２ｂに導かれ、その凸部１２ａ及び１２ｂ全体が光輝する。一方、点灯していない光源の正面側に位置する凸部１２ａ及び１２ｂは光輝しない。従って、光源の点灯／非点灯を制御することにより、セグメント表示が行える。このように、セグメント表示板１２に、セグメント形状を形取り、かつ、光透過材から形成された複数の凸部１２ａを設けることにより、セグメントを立体に表示することができ、意匠性及び視認性の向上を図ることができる。
【００３６】
また、上記凸部１２ａ及び１２ｂは、スモーク処理が施され、暗色系に着色されている。これにより、発光している凸部１２ａ及び１２ｂと、発光していない凸部１２ａ及び１２ｂとの輝度コントラストを強調することができ、より意匠性の向上を図ることができる。
【００３７】
また、上記配線板アッシーＡ１４の背面には、指針２０が設けられている。この指針２０は、指針軸２０ａを中心に回転するものであり、その指針軸２０ａが配線板アッシーＡ１４の背面に配置される。
【００３８】
この指針２０の背面には、文字板２３（請求項中の第２表示板に相当）が設けられている。文字板２３には、図３に示すように、セグメント表示器１０の外周を囲むように、指針２０の目盛（＝指標）が印刷などにより形成されている。また、この文字板２３には、指針２１及び２２の指標となる目盛も印刷などにより形成されている。
【００３９】
さらに、文字板２３には、図１に示すように、トリップノブ２４用の貫通孔２３ａが設けられている。また、文字板２３には、指針２０が回転しない範囲であり、かつ、目盛も形成されていない範囲Ａ１（図３参照）内に、配線板アッシーＡ１４からの電線Ｌを貫通する貫通部としての貫通孔２３ｂ（図１参照）が形成されている。
【００４０】
上述したように、文字板２３において、指針２０が回転しない範囲であり、かつ、目盛も形成されていない範囲Ａ１に、配線板アッシーＡ１４からの電線Ｌを貫通する貫通孔２３ｂを設けることにより、電線Ｌが指針の動きに干渉したり、目盛を隠したりすることなく、簡単な構成で、指針軸２０ａを中心に指針２０が回転する通常計器の略中央に立体セグメント表示を行うことができる。
【００４１】
上記配線板アッシーＡ１４からの電線Ｌは、貫通孔２３ｂを貫通して、文字板２３の背面に配置され、その背面に指針２０、２１、２２を駆動するモータ２６、２７、２８が設けられている配線板アッシーＢ２５（請求項中の第２基板に相当）に接続される。
【００４２】
詳しくは、図４（ｂ）に示すように、配線板アッシーＡ１４と電線Ｌとの電気接続部であるコネクタＣは、配線板アッシーＡ１４の正面側に設けられ、さらに、電線Ｌは、コネクタＣの側面から引き出されている。これにより、図４（ａ）に示すようなコネクタＣを配線板アッシーＡ１４の背面側に設け、さらに、コネクタＣの背面側から電線Ｌを引き出す場合に比べて薄型化を図ることができる。
【００４３】
また、図４（ｃ）に示すように、配線板アッシーＢ２５と電線Ｌとの電気接続部であるコネクタＣにおいても、その側面から電線Ｌが引き出されるようにすれば、より一層薄型化を図ることができる。
【００４４】
なお、上述したセグメント表示器１０、指針２０、２１、２２、文字板２３、トリップノブ２４、配線板アッシーＢ２５、モータ２６、２７、２８は、裏カバー３０、ケース３１、見返し３２、表ガラス３３内に収納される。
【００４５】
また、１１ｂは、文字板２３に形成された目盛を囲む周縁部であり、図５に示すように、連結部１１ｃにより上述した遮光部１１ａと連結され一体に形成されている。これにより、周縁部１１ｂと遮光部１１ａとを別々に設ける必要がなく、部品点数削減を図り、コストダウンを図ることができる。また、この連結部１１ｃは、上述した貫通孔２３ｂの正面に相当する位置に設けられ、文字板２３に形成された貫通孔２３ｂは、上記連結部１１ｃにより隠され、正面からは見えないようになっている。
【００４６】
また、図１に示すように、上述した周縁部１１ｂの正面側の面Ｍ１は、見返し３２の正面側の面Ｍ２とほぼ同一平面上となるように配置されている。これにより、周縁部１１ｂと見返し３２とが調和し、違和感のない表示を行うことができる。
【００４７】
なお、上述した実施形態では、凸部１２ａの取付角度については、特に説明していなかったが、図６に示すように、凸部１２ａ天面の下端がその上端よりも正面側に位置するように傾けることも考えられる。このようにすれば、上端側から視認したときの視認性を向上させることができると共に、立体感も強調させることができ、意匠性及び視認性をより一層向上することができる。
【００４８】
また、凸部１２ａ天面の左右水平端の何れか一端が他端よりも正面側に位置するように傾けることも考えられる。この場合も、凸部１２ａ天面の視認性を向上させることができると共に、立体感も強調させることができる。傾ける方法としては、図６に示すようにセグメント表示板１２のみを傾ける方法、凸部１２ａのみ傾ける方法、セグメント表示器１０自体を傾ける方法、表示器全体を傾ける方法などが考えられる。
【００４９】
また、上述した実施形態によれば、凸部１２ａ及び１２ｂにスモーク処理を施し、暗色系に着色していた。しかしながら、リング部１１の正面に、図７に示すように、周縁部１１ｂで囲まれた部分のみを多い、かつ、スモーク処理を施し暗色系に着色した表ガラス３４を設けることによって、発光している凸部１２ａ及び１２ｂと発光していない凸部１２ａ及び１２ｂとの輝度コントラストを強調するようにしてもよい。
【００５０】
この場合、指針２０や、文字板２３上に形成された目盛も発光させれば、表示器の作動時に、暗い所から、周縁部１１ｂに囲まれた部分のみが部分的に浮き出して見えるような演出をすることができる。
【００５１】
また、上述した実施形態では、コネクタＣと電線Ｌとを使って配線板アッシーＡ１４と配線板アッシーＢ２５との電気接続を行っていたが、例えば、図８に示すように、端子Ｔを使って電気接続を行うようにしてもよい。
【００５２】
また、上述した実施形態では、セグメント凸部１２ａの背面にそれぞれ光源を設け、光源の点灯／非点灯を制御することにより、セグメント表示を行っていた。しかしながら、図９に示すように、複数のセグメント表示板１２の背面に少なくとも１つの光源ＬＬを設けると共に、セグメント表示板１２と光源ＬＬとの間に液晶表示部３５を設ける構成にしてもよい。
【００５３】
この場合、光源ＬＬを発光させると、液晶表示部３５において透過に制御されている部分Ａ２の正面に位置する凸部１２ａが発光し、不透過に制御されている部分Ａ３の正面に位置する凸部１２ａは発光しない。このため、液晶表示器の透過／不透過を制御すれば、セグメント表示を行うことができる。このような構成にすることにより、凸部１２ａ毎に光源を設ける必要がなくなる。
【００５４】
【発明の効果】
以上説明したように、請求項１記載の発明によれば、第１表示板に、セグメント形状を形取り、かつ、光透過材から形成された複数の凸部を設けることにより、セグメントを立体表示することができるので、意匠性及び視認性の向上を図った表示器を得ることができる。
【００５５】
請求項２記載の発明によれば、第１表示板に、セグメント形状を形取り、かつ、光透過材から形成された複数の凸部を設けることにより、セグメントを立体表示することができるので、意匠性及び視認性の向上を図ることができる。しかも、液晶表示部を設けることにより、凸部毎に光源を設ける必要もないので、コストダウンを図った表示器を得ることができる。
【００５６】
請求項３記載の発明によれば、凸部と、凸部以外の部分とを一体にすることにより、部品点数を削減することができ、コストダウンを図ることができる。しかも、凸部以外の部分を光り不透過材により形成することにより、所定の凸部の背面に入射された光が凸部以外の部分を透過して他の凸部に漏れず、他の凸部が光輝することがないので、より一層、意匠性の向上を図った表示器を得ることができる。
【００５７】
請求項４及び５記載の発明によれば、凸部天面を見たときの視認性を向上させることができると共に、立体感も強調させることができるので、より一層、意匠性及び視認性の向上を図った表示器を得ることができる。
【００５８】
請求項６記載の発明によれば、発光している凸部と、発光していない凸部との輝度コントラストを強調することができるので、より一層、意匠性の向上を図った表示器を得ることができる。
【００５９】
請求項７記載の発明によれば、第２表示板において、指針が回転しない範囲であり、かつ、指標が形成されていない範囲に、基板からの電線又は端子を貫通する貫通孔を設けることにより、電線や端子が指針の動きに干渉したり、指標を隠したりすることがなく、簡単な構成で、指針軸を中心に指針が回転する通常計器の略中央に立体表示を行うことができる表示器を得ることができる。
【００６０】
請求項８記載の発明によれば、遮光部と周縁部とを各々別々に形成する必要がなく、部品点数の削減を図ることができるので、コストダウンを図った表示器を得ることができる。
【００６１】
請求項９記載の発明によれば、連結部により貫通孔や電線又は端子を隠すことができるので、より一層、意匠性の向上を図った表示器を得ることができる。
【００６２】
請求項１０記載の発明によれば、指針や、第２表示板上に形成された指標も発光させれば、表示器の作動時に、周縁部に囲まれた第１及び第２表示板が部分的に浮き出して見えるような演出をすることができるので、より一層意匠性の向上を図った表示器を得ることができる。
【００６３】
請求項１１記載の発明によれば、周縁部が見返しと調和し、違和感をなくすことができるので、より一層、意匠性の向上を図った表示器を得ることができる。
【図面の簡単な説明】
【図１】本発明の表示器の一実施の形態を示す分解斜視図である。
【図２】図１の表示器を構成するセグメント表示板１２の拡大図である。
【図３】図１の表示器の正面図である。
【図４】図１に示す配線板アッシーＡ１４−配線板アッシーＢ２５間を電気接続する電線ＬとコネクタＣとの構成を説明するための図である。
【図５】図１に示すリング１１の拡大図である。
【図６】図１に示すセグメント表示器１０の取付角度について説明するための図である。
【図７】表ガラス３５の詳細について説明するための図である。
【図８】図１に示す配線板アッシーＡ１４−配線板アッシーＢ２５間の電気接続の他の実施形態を示す図である。
【図９】本発明の表示器の他の実施形態を示す部分断面図である。
【図１０】従来のセグメント表示を行うセグメント表示器の一例である。
【符号の説明】
１１ａ  遮光部
１１ｂ  周縁部
１２    セグメント表示板（第１表示板）
１２ａ  セグメント凸部（凸部）
１２ｃ  光不透過部
１４    配線板アッシーＡ（第１基板）
２０    指針
２３    文字板（第２表示板）
２３ｂ  貫通孔
３２    見返し
３５    液晶表示部
Ｌ      電線
Ｃ      コネクタ（電気接続部）
【図１】
2004271813.tif 000003
【図２】
2004271813.tif 000004
【図３】
2004271813.tif 000005
【図４】
2004271813.tif 000006
【図５】
2004271813.tif 000007
【図６】
2004271813.tif 000008
【図７】
2004271813.tif 000009
【図８】
2004271813.tif 000010
【図９】
2004271813.tif 000011
【図１０】
2004271813.tif 000012